(57)【特許請求の範囲】
【請求項１】
弾性を有するシートをカットして細い帯状に形成され、シャツの前立ての上端部から少なくとも第２ボタン・ボタンホールよりも下方まで達する長さを有し、片側の縁から幅方向の中央部に亘って切り込みを入れることで下向きの鉤状のフック部が形成してあり、シャツの前立ての側縁部又は下縁部に形成された挿入部から前立て内部に挿入し、フック部をボタンの縫い糸又はボタンホールに上方から引っ掛けることで所定の位置に保持されるようにしたことを特徴とする前立て用芯材。
【請求項２】
上端部を襟台の内部に挿入した状態で保持されることを特徴とする請求項１記載の前立て用芯材。
【請求項３】
上端部にテーパー部を形成し、上端部の幅を細くしてあることを特徴とする請求項１又は２記載の前立て用芯材。
【請求項４】
透明なプラスチックシートで形成してあることを特徴とする請求項１，２又は３記載の前立て用芯材。
【請求項５】
ボタンホール側の前立てとボタン側の前立ての内部に、請求項１〜４の何れかに記載した前立て用芯材をそれぞれ備えていることを特徴とするシャツ。
【請求項６】
前立ての側縁部を縫っている縫い目を一部中断するか、前立ての下縁部を縫っている縫い目を一部中断又は無くすことにより前立て用芯材の挿入部を形成してあることを特徴とする請求項５記載のシャツ。
【発明の詳細な説明】
【技術分野】
【０００１】
本発明は、ボタンを外してシャツを着たときに襟元を綺麗に見せるための前立て用芯材、及び当該前立て用芯材を備えたシャツに関する。
【背景技術】
【０００２】
夏の暑い時期などには、シャツのボタンを上から１個ないし２個程度外すことがあるが、そうすると図７に示すように、前立て９０ａ，９０ｂが曲がったり捩れたりして襟元が乱れ、非常に見苦しい状態になる。シャツの生地が軟らかい素材であると、そのような襟元の乱れはより顕著になる。
【０００３】
このような不都合を防止する手段として、特許文献１には、前立ての内部に弾力性のある芯を入れることが記載されている。このような芯は、シャツを縫製する際に前立てに埋め込む必要があり、後から芯を取外したり、芯を交換したりすることはできないし、また既成のシャツの前立てに後から取付けることもできない。
特許文献２には、前立ての表側に、芯の入った帯状の前立て形状維持具を、前立てに設けられているボタンとボタンホールを利用して着脱自在に取付けることが記載されている。この前立て形状維持具は、前立ての表側に取付けられ、外から常に見えるため、違和感を感じなくもない。  
【特許文献１】実開平４−６４５０２号公報
【特許文献２】特開２００７−９２２０８号公報
【発明の開示】
【発明が解決しようとする課題】
【０００４】
本発明は以上に述べた実情に鑑み、ボタンを外してシャツを着たときに襟元を綺麗に見せる効果が高く、どんなシャツにでも違和感無く使用でき、着脱や交換も容易に行える前立て用芯材、及び当該前立て用芯材を備えたシャツの提供を目的とする。
【課題を解決するための手段】
【０００５】
上記の課題を達成するために請求項１記載の発明による前立て用芯材は、弾性を有するシートをカットして細い帯状に形成され、シャツの前立ての上端部から少なくとも第２ボタン・ボタンホールよりも下方まで達する長さを有し、片側の縁から幅方向の中央部に亘って切り込みを入れることで下向きの鉤状のフック部が形成してあり、シャツの前立ての側縁部又は下縁部に形成された挿入部から前立て内部に挿入し、フック部をボタンの縫い糸又はボタンホールに上方から引っ掛けることで所定の位置に保持されるようにしたことを特徴とする。
【０００６】
請求項２記載の発明による前立て用芯材は、請求項１記載の発明の構成に加え、上端部を襟台の内部に挿入した状態で保持されることを特徴とする。
【０００７】
請求項３記載の発明による前立て用芯材は、請求項１又は２記載の発明の構成に加え、上端部にテーパー部を形成し、上端部の幅を細くしてあることを特徴とする。
【０００８】
請求項４記載の発明による前立て用芯材は、請求項１〜３記載の発明の構成に加え、透明なプラスチックシートで形成してあることを特徴とする。
【０００９】
請求項５記載の発明によるシャツは、ボタンホール側の前立てとボタン側の前立ての内部に、請求項１〜４の何れかに記載した前立て用芯材をそれぞれ備えていることを特徴とする。
【００１０】
請求項６記載の発明によるシャツは、請求項５記載の発明の構成に加え、前立ての側縁部を縫っている縫い目を一部中断するか、前立ての下縁部を縫っている縫い目を一部中断又は無くすことにより前立て用芯材の挿入部を形成してあることを特徴とする。
【発明の効果】
【００１１】
請求項１記載の発明の前立て用芯材は、弾性を有するシートをカットして細い帯状に形成され、シャツの前立ての上端部から少なくとも第２ボタン・ボタンホールよりも下方まで達する長さを有しており、これを前立ての内部に取付けることで前立ての曲がりやねじれを確実に防止し、第１・第２ボタンを外しても襟元が綺麗に見える。また本発明の前立て用芯材は、フック部をボタンの縫い糸又はボタンホールに上方から引っ掛けることで落ちてくることがなく、また着脱も容易に行える。さらに、前立ての内部に挿入して取付けられるため、外観上、違和感が無い。芯材の挿入部は、前立ての側縁部や下縁部を縫っている縫い目を少しの長さ中断させることで容易に形成でき、既成のシャツでも前記縫い目を少しの長さだけ解くことで容易に形成でき、しかも芯材の挿入部は外から見てほとんど分からない。
【００１２】
請求項２記載の発明による前立て用芯材は、上端部を襟台の内部に挿入した状態で保持されるようにしたので、前立てと襟台の繋ぎ目での折れ曲がりも防止でき、ボタンを外した状態で襟元がより一層綺麗に見える。
【００１３】
請求項３記載の発明による前立て用芯材は、上端部にテーパー部を形成し、上端部の幅を細くしてあることで、前立て内部への挿入、襟台内部への挿入が容易に行える。
【００１４】
請求項４記載の発明による前立て用芯材は、透明なプラスチックシートで形成してあるので、シャツの生地が透けるような薄い素材であっても付けてあるのが分からず、しかも十分に襟元を綺麗に見せる効果を発揮できる。
【００１５】
請求項５記載の発明によるシャツは、ボタンホール側の前立てとボタン側の前立ての内部に、請求項１〜４の何れかに記載した前立て用芯材をそれぞれ備えているので、ボタンを外しても前立てが曲がったりねじれたりせず、襟元を綺麗に見せることができる。また前立て用芯材は着脱自在なので、洗濯する際には取外して芯材の破損や劣化を防止することができ、たとえ破損した場合でも新しいものに簡単に交換できる。
【００１６】
請求項６記載の発明によるシャツは、前立ての側縁部を縫っている縫い目を一部中断するか、前立ての下縁部を縫っている縫い目を一部中断又は無くすことにより前立て用芯材の挿入部を形成したので、芯材の挿入部を容易に形成でき、尚且つ芯材の挿入部は外部からほとんど目立たない。
【発明を実施するための最良の形態】
【００１７】
以下、本発明の実施の形態を図面に基づいて説明する。図１は、本発明の前立て用芯材１１ａ，１１ｂの一実施形態を示す正面図であり、図２は、この前立て用芯材１１ａ，１１ｂを取り付けたシャツ１の正面図である。
前立て用芯材１１ａ，１１ｂは、シャツ１のボタンホール側の前立て２ａの内部に取り付けられるもの１１ａと、ボタン側の前立て２ｂの内部に取り付けられるもの１１ｂとがあり、何れの前立て用芯材１１ａ，１１ｂも弾性を有する透明なプラスチックシートをカットして、細い帯状に形成されている。２本の前立て用芯材１１ａ，１１ｂは、ほぼ左右対称に形成され、その横幅は前立て２ａ，２ｂ内部の横幅の半分以下で、約５〜１０ｍｍとなっている。なお、ボタンホール側の前立て２ａは、左前身ごろ１２ａの縁部の表側に帯状の別布を、その両側縁部を内側に折り曲げた状態で当て、両側縁部をミシンで縫って袋状に形成されている。ボタン側の前立て２ｂは、右前身ごろ１２ｂの縁部を内側に折り曲げ、折り曲げた先端部をミシンで縫って袋状に形成している。図２中の点線８ａ，８ｂは、ミシンの縫い目を示している。前立て用芯材１１ａ，１１ｂの長さは、第１ボタン・ボタンホール３ａ，４ａ付近から、第３ボタン・ボタンホール３ｃ，４ｃ付近まで達する長さとなっている。前立て用芯材１１ａ，１１ｂの長さ方向の中間部には、片側の縁から幅方向の中央部に亘って切り込み５ａ，５ｂを入れることで、下向きの鉤状のフック部６ａ，６ｂが形成してある。フック部６ａ，６ｂは、ボタンホール側前立て２ａ用のもの６ａが、ボタン側前立て２ｂ用のもの６ｂよりも若干高い位置に形成してある。前立て用芯材１１ａ，１１ｂの上端部には、テーパー部１３が形成してあり、上端部の横幅を中間部よりも一段細くしてある。
【００１８】
前立て２ａ，２ｂの側縁部を縫っている縫い目８ａ，８ｂは、第２ボタンホール３ｂと第３ボタンホール３ｃの間と、第２ボタン４ｂと第３ボタン４ｃの間で、１〜２ｃｍの長さだけ中断しており、この部分を芯材１１ａ，１１ｂを前立て２ａ，２ｂ内部に挿入するための挿入部７ａ，７ｂとしている。また、襟台１０を縫い付けている縫い目１４は、前立て２ａ，２ｂと襟台１０とが重なる部分で１ｃｍ弱の長さで中断部１５を設けてあり、この部分では前立て２ａ，２ｂの内部と襟台１０の内部が連通している。既成のシャツに本芯材１１ａ，１１ｂを取付ける場合は、縫い目８ａ，８ｂ，１４を部分的に解いて挿入部７ａ，７ｂや中断部１５を形成する。
【００１９】
図３は、前立て用芯材１１ａをボタンホール側前立て２ａの内部に取付けるときの手順を示している。まず図３（ａ）に示すように、前立ての縫い目８ａを中断して設けた挿入部７ａより前立て用芯材１１ａを下部側から挿入する。次に、図３（ｂ）に示すように、前立て２ａを両手の指で縮めたり伸ばしたりを繰り返して前立て用芯材１１ａを前立て上部側に移動させ、上端部を襟台１０の縫い目の中断部１５より襟台１０内に挿入する。次に、図３（ｃ）に示すように、フック部６ａを指で横に移動させて第２ボタンホール３ｂに上方から引っ掛ける。こうしてフック部６ａをボタンホール３ｂに引っ掛けることで、前立て用芯材１１ａが所定の位置に固定され、落ちないようになる。ボタン側の前立て２ｂの内部にも同じようにして前立て用芯材１１ｂを取付けることができ、このときはフック部６ｂを第２ボタン４ｂの縫い糸１６に上方から引っ掛ける。前立て用芯材１１ａ，１１ｂを取外す場合は、上述の手順を逆に行えばよい。
【００２０】
図４は、このように前立て用芯材１１ａ，１１ｂを前立て２ａ，２ｂ内部にそれぞれ取付けたシャツ１を、第１・第２ボタン４ａ，４ｂを外して着用した状態を示している。同図に示すように、前立て用芯材１１ａ，１１ｂにより両前立て２ａ，２ｂの曲がりや捩れが防がれ、尚且つ芯材１１ａ，１１ｂの上端部が襟台１０内部に挿入されていることにより、前立て２ａ，２ｂと襟台１０の繋ぎ目での折れ曲がりも防止できるので、ボタン４ａ，４ｂを外しても襟元が綺麗で、格好良く見える。前立て用芯材１１ａ，１１ｂは前立て２ａ，２ｂの内部に取付けられており、外部から見えないので、違和感が全くない。
【００２１】
前立て２ａ，２ｂ内部への芯材１１ａ，１１ｂの挿入部７ａ，７ｂは、図５（ａ）に示すように、前立て２ａ，２ｂの下縁部を縫っている縫い目９を一部中断することにより形成することもできる。このようにすれば、前立て２ａ，２ｂのほぼ全長に亘るような長い芯材１１ａ，１１ｂであっても容易に前立て２ａ，２ｂ内部に取付けできるし、前立て２ａ，２ｂの下部は通常はズボンの中に入れるので、前立て２ａ，２ｂの下縁部が縫ってなくても全く問題がない。また図５（ｂ）に示すように、前立て２ａ，２ｂが左右前身ごろ１２ａ，１２ｂの縁部を単に内側に折り返しただけで形成され、前立て２ａ，２ｂの縁部が縫ってないものでは、前立て２ａ，２ｂの裏側の全長のどこからでも芯材１１ａ，１１ｂを挿入できる。
【００２２】
図６は、本発明の前立て用芯材１１ａ，１１ｂの第２実施形態を示している。この実施形態では、フック部６ａ，６ｂの下の切り込み５ａ，５ｂが、芯材の下端までまっすぐにのびている。
【００２３】
本発明は以上に述べた実施形態に限定されない。前立て用芯材１１ａ，１１ｂは、ボタン４ａ，４ｂ，４ｃ，…及びボタンホール３ａ，３ｂ，３ｃ，…の右側と左側のどちらに取付けてもよい。前立て用芯材１１ａ，１１ｂの長さは、前立て２ａ，２ｂの上端から第２ボタン・ボタンホール３ｂ，４ｂ付近までの長さのものや、第４ボタン・ボタンホール３ｄ，４ｄよりも下までのびる長さにすることもできる。フック部６ａ，６ｂは、第２ボタン・ボタンホール３ｂ，４ｂよりも下のボタン・ボタンホールに引っ掛けるようにしてもよい。本発明は、前開きのあらゆるシャツ（ブラウスも含む）に適用できる。
【図面の簡単な説明】
【００２４】
【図１】本発明の前立て用芯材の一実施形態を示す正面図である。
【図２】図１の前立て用芯材をシャツの前立ての内部に取付けた状態を示す正面図である。
【図３】前立て用芯材の取付け手順を示す図である。
【図４】図２のシャツを、第１・第２ボタンを外して着用した状態を示す正面図である。
【図５】前立て内部への芯材の挿入部の他の実施形態を示す図である。
【図６】本発明の前立て用芯材の他の実施形態を示す正面図である。
【図７】通常のシャツを、第１・第２ボタンを外して着用したときの状態を示す正面図である。
【符号の説明】
【００２５】
１  シャツ
２ａ，２ｂ  前立て  
３ａ，３ｂ，３ｃ，３ｄ  ボタンホール  
４ａ，４ｂ，４ｃ，４ｄ  ボタン
５ａ，５ｂ  切り込み
６ａ，６ｂ  フック部
７ａ，７ｂ  芯材挿入部
８ａ，８ｂ  前立て側縁部の縫い目
９  前立て下縁部の縫い目
１０  襟台
１１ａ，１１ｂ  前立て用芯材
１２ａ，１２ｂ  前身ごろ
１３  テーパー部
１４  襟台の縫い目
１５  襟台の縫い目の中断部
１６  ボタンの縫い糸  
【要約】
【課題】  ボタンを外してシャツを着たときに襟元を綺麗に見せる効果が高く、どんなシャツにでも違和感無く使用でき、着脱や交換も容易に行える前立て用芯材、及び当該前立て用芯材を備えたシャツの提供。
【解決手段】  本発明の前立て用芯材１１ａ，１１ｂは、弾性を有するシートをカットして細い帯状に形成され、シャツ１の前立て２ａ，２ｂの上端部から少なくとも第２ボタン・ボタンホール３ｂ，４ｂよりも下方まで達する長さを有し、片側の縁から幅方向の中央部に亘って切り込み５ａ，５ｂを入れることで下向きの鉤状のフック部６ａ，６ｂが形成してあり、シャツの前立ての側縁部又は下縁部に形成された挿入部７ａ，７ｂから前立て２ａ，２ｂ内部に挿入し、フック部６ａ，６ｂをボタンの縫い糸１６又はボタンホール３ｂに上方から引っ掛けることで所定の位置に保持されるようにした。
【選択図】      図２【図１】
0004067559.tif 000002
【図２】
0004067559.tif 000003
【図３】
0004067559.tif 000004
【図４】
0004067559.tif 000005
【図５】
0004067559.tif 000006
【図６】
0004067559.tif 000007
【図７】
0004067559.tif 000008